(57)【特許請求の範囲】
【請求項１】
第１のプロセッサと、
前記第１のプロセッサへの電力供給と、当該電力供給の制御を行う第１の電力供給制御部と、
前記第１の電力供給制御部への電力供給を行う第２の電力供給制御部と、
前記第２の電力供給制御部から前記第１の電力供給制御部への電力供給オンオフを切り替える第１のスイッチと、を備え、
前記第１のスイッチは、前記第１の電力供給制御部と前記第２の電力供給制御部を電気的に接続する接続線を物理的に通電又は遮断するスイッチであり、当該第１のスイッチがオンされると、前記接続線が物理的に通電して前記第２の電力供給制御部から前記第１の電力供給制御部への電力供給をオンし、当該第１のスイッチがオフされると、前記接続線が物理的に遮断して前記第２の電力供給制御部から前記第１の電力供給制御部への電力供給をオフすることを特徴とする電子機器。
【請求項２】
前記第１のプロセッサが休止される場合には、前記第１のスイッチがオフされて前記第２の電力供給制御部から前記第１の電力供給制御部への電力供給が遮断されることを特徴とする請求項１記載の電子機器。
【請求項３】
前記第１のスイッチは、当該第１のプロセッサを動作させる通常モードと、前記第１のプロセッサを休止させる休止モードとを含む複数の動作モード間での切り替えに応じてオンオフが定められることを特徴とする請求項１又は２記載の電子機器。
【請求項４】
当該電子機器は、前記第２の電力供給制御部から電力供給を受ける前記第１のプロセッサとは異なる所定の回路部分を備え、
前記所定の回路部分には、第２のプロセッサが含まれ、
前記第２のプロセッサは、前記第１のプロセッサの動作時には、前記第１のスイッチをオンさせ、前記第１のプロセッサの休止時には、前記第１のスイッチをオフさせる
ことを特徴とする請求項３記載の電子機器。
【請求項５】
前記第１のプロセッサは、前記休止モードへの遷移時に前記第２のプロセッサに当該休止モードへ遷移する旨を示す第１の休止遷移通知を行い、
前記第２のプロセッサは、前記第１の休止遷移通知を取得した場合に、前記第１のスイッチをオフさせる
ことを特徴とする請求項４記載の電子機器。
【請求項６】
当該電子機器は、前記第１の電力供給制御部から電力供給を受ける所定の機能を実行する第１の機能動作部を備え、
当該第１の機能動作部は、前記第１のプロセッサにより動作制御がなされ、
前記第１の電力供給制御部は、前記第１のプロセッサが休止される場合に、前記第１の機能動作部への電力供給を遮断する
ことを特徴とする請求項１〜５の何れか一項に記載の電子機器。
【請求項７】
当該電子機器は、前記第２の電力供給制御部から電力供給を受ける前記第１のプロセッサとは異なる所定の回路部分と、
前記第２の電力供給制御部から前記第１のプロセッサとは異なる前記所定の回路部分への電力供給オンオフを切り替える第２のスイッチと、を備え、
前記所定の回路部分には、第２のプロセッサが含まれ、
前記第２のプロセッサは、当該第２のプロセッサの動作を休止させる場合に、前記第２の電力供給制御部により前記第２のスイッチをオフさせる
ことを特徴とする請求項１記載の電子機器。
【請求項８】
前記第２のプロセッサは、当該第２のプロセッサの動作を休止させる場合に、前記第２の電力供給制御部に対して前記第２のプロセッサの休止に係る第２の休止遷移通知を出力し、
前記第２の電力供給制御部は、前記第２の休止遷移通知を取得してから所定の移行時間が経過した後に、前記第２のスイッチをオフさせる
ことを特徴とする請求項７記載の電子機器。
【請求項９】
前記第２の電力供給制御部は、所定の機能を実行する第２の機能動作部を有し、
前記第２のプロセッサは、当該第２のプロセッサの動作を休止させる場合に、前記第２の電力供給制御部に対して前記第２のプロセッサの休止に係る第２の休止遷移通知を出力し、
前記第２の電力供給制御部は、前記第２の休止遷移通知を取得してから所定の移行時間が経過した後に、前記第２の機能動作部を通常の動作時よりも消費電力の小さい低消費電力動作状態に遷移させる
ことを特徴とする請求項７又は８記載の電子機器。
【請求項１０】
前記第２のプロセッサは、当該第２のプロセッサの動作を休止させる場合に、前記第１のスイッチをオフさせることを特徴とする請求項７〜９の何れか一項に記載の電子機器。
【請求項１１】
前記第１のスイッチは、前記第２の電力供給制御部の内部に設けられていることを特徴とする請求項１〜１０の何れか一項に記載の電子機器。
【請求項１２】
第１のプロセッサと、前記第１のプロセッサへの電力供給と、当該電力供給の制御を行う第１の電力供給制御部と、前記第１の電力供給制御部への電力供給を行う第２の電力供給制御部と、前記第２の電力供給制御部から前記第１の電力供給制御部への電力供給オンオフを切り替える第１のスイッチと、を備える電子機器の電力供給制御方法であって、
前記第１のスイッチは、前記第１の電力供給制御部と前記第２の電力供給制御部を電気的に接続する接続線を物理的に通電又は遮断するスイッチであり、当該第１のスイッチがオンされると、前記接続線が物理的に通電して前記第２の電力供給制御部から前記第１の電力供給制御部への電力供給をオンし、当該第１のスイッチがオフされると、前記接続線が物理的に遮断して前記第２の電力供給制御部から前記第１の電力供給制御部への電力供給をオフし、
前記第１のプロセッサが休止される場合には、前記第１のスイッチがオフされて、前記接続線が物理的に遮断して前記第２の電力供給制御部から前記第１の電力供給制御部への電力供給が遮断される
ことを特徴とする電子機器の電力供給制御方法。
【発明の詳細な説明】
【技術分野】
【０００１】
この発明は、電子機器及び電子機器の電力供給制御方法に関する。
【背景技術】
【０００２】
従来、主にモバイル機器などの電子機器において、電力消費の低減や発熱の抑制などを目的として、電力供給を適切に行うための電力制御（パワーマネージメント）が行われている。特許文献１には、電源制御回路を備え、携帯電話装置の各部への電力供給を制御する構成が開示されている。
【先行技術文献】
【特許文献】
【０００３】
【特許文献１】特開２００７−２４３７９３号公報
【発明の概要】
【発明が解決しようとする課題】
【０００４】
しかしながら、電力供給の制御に係る構成自体も電力を用いて動作していることから、従来の電力供給制御に係る構成では、電力供給制御先の構成の数などに応じて消費電力が増加して、動作効率が低下するという課題がある。
【０００５】
この発明の目的は、より効率的に電力供給制御を行うことの出来る電子機器及び電子機器の電力供給制御方法を提供することにある。
【課題を解決するための手段】
【０００６】
上記目的を達成するため、本発明は、
第１のプロセッサと、
前記第１のプロセッサへの電力供給と、当該電力供給の制御を行う第１の電力供給制御部と、
前記第１の電力供給制御部への電力供給を行う第２の電力供給制御部と、
前記第２の電力供給制御部から前記第１の電力供給制御部への電力供給オンオフを切り替える第１のスイッチと、を備え、
前記第１のスイッチは、前記第１の電力供給制御部と前記第２の電力供給制御部を電気的に接続する接続線を物理的に通電又は遮断するスイッチであり、当該第１のスイッチがオンされると、前記接続線が物理的に通電して前記第２の電力供給制御部から前記第１の電力供給制御部への電力供給をオンし、当該第１のスイッチがオフされると、前記接続線が物理的に遮断して前記第２の電力供給制御部から前記第１の電力供給制御部への電力供給をオフすることを特徴とする電子機器である。
【発明の効果】
【０００７】
本発明に従うと、電子機器においてより効率的に電力供給制御を行うことが出来るという効果がある。
【図面の簡単な説明】
【０００８】
【図１】本発明の実施形態の電子機器の機能構成を示すブロック図である。
【図２】低電力モード遷移処理のメインＣＰＵによる制御手順と、サブＣＰＵによる制御手順とをそれぞれ示すフローチャートである。
【図３】通常モード遷移処理のサブＣＰＵによる制御手順と、メインＣＰＵによる制御手順とをそれぞれ示すフローチャートである。
【図４】電力遮断モード遷移処理のサブＣＰＵによる制御手順を示すフローチャートである。
【発明を実施するための形態】
【０００９】
以下、本発明の実施の形態を図面に基づいて説明する。
図１は、本発明の実施形態の電子機器１００の機能構成を示すブロック図である。
【００１０】
この電子機器１００は、メイン電力供給制御部１１（第１の電力供給制御部）と、メインＣＰＵ１２（第１のプロセッサ）と、第１機能動作部１３（第１の機能動作部）と、サブ電力供給制御部２１（第２の電力供給制御部）と、サブＣＰＵ２２（第２のプロセッサ）と、第３機能動作部２３と、第１スイッチ３１（第１のスイッチ）などを備える。
また、電子機器１００は、外部電源から有線などで電力供給を受けることが可能であると共に、特には限られないが、ここでは、充電池５０が着脱可能に、又は着脱負荷の組み込みとして設けられて電力が供給される。
【００１１】
この電子機器１００では、全ての電力は、サブ電力供給制御部２１に入力された後、一部の構成には直接、他の一部の構成には第１スイッチ３１及びメイン電力供給制御部１１を介して供給される。
【００１２】
メイン電力供給制御部１１から電力供給制御がなされる構成には、メインＣＰＵ１２及び第１機能動作部１３が含まれる。メイン電力供給制御部１１には、従来周知のパワーマネージメントＩＣ（ＰＭＩＣ）を用いることが出来る。
メインＣＰＵ１２は、各種演算処理を行い、電子機器１００の通常動作に係る種々の制御を行う。メインＣＰＵ１２は、第１機能動作部１３の各部の動作制御を行う。
【００１３】
第１機能動作部１３には、表示部、操作受付部、音声出力部、通信部、及びその他各種所定の機能動作に係る制御駆動部が含まれる。表示部としては、例えば、カラー液晶表示画面を有し、メインＣＰＵ１２からの制御信号に基づいてカラー液晶表示画面に各種表示を行わせる。操作受付部としては、例えば、カラー液晶表示画面に重ねて設けられたタッチセンサを有し、タッチパネルとして用いられる。通信部としては、例えば、外部機器とブルートゥース通信（登録商標：Bluetooth）などの近距離通信を行うための通信インターフェイスを有する。音声表示部としては、例えば、スピーカを有し、各種音声を出力させる。
【００１４】
メイン電力供給制御部１１には、これらメインＣＰＵ１２及び第１機能動作部１３の各々に対して電力の供給可否を切り替えるスイッチング素子１１１、１１２（ＳＷ）が各々設けられており、メインＣＰＵ１２の制御動作により各スイッチング素子１１１、１１２のオンオフを切り替えることが出来る。なお、メイン電力供給制御部１１からメインＣＰＵ１２への電力供給可否を切り替えるスイッチング素子１１１は、メイン電力供給制御部１１に電力が供給されて起動される初期状態ではオンとなるように定めることが出来る。スイッチング素子１１１、１１２などには、トランジスタなどのアナログスイッチが用いられる。
【００１５】
サブ電力供給制御部２１から電力供給制御がなされる構成には、サブＣＰＵ２２及び第３機能動作部２３が含まれる。
サブＣＰＵ２２は、メインＣＰＵ１２よりも消費電力の小さいものであり、特には限られないが、通常では、メインＣＰＵ１２よりも性能が低いものが用いられる。サブＣＰＵ２２は、各種演算処理を行い、電子機器１００の各部のうち、メインＣＰＵ１２及び当該メインＣＰＵ１２が直接制御する構成以外の各部の動作を制御する。このサブＣＰＵ２２が制御する構成には、第３機能動作部２３及び第１スイッチ３１が含まれる。
【００１６】
第３機能動作部２３には、メインＣＰＵ１２が休止されている状況でも限定的な動作が望まれる一部の構成、例えば、ブザー音やビープ音の発生部、温度センサや、電子機器１００の移動を検出する加速度センサなどが含まれる。これら第３機能動作部２３の動作は、サブＣＰＵ２２により制御される。
【００１７】
第１スイッチ３１は、サブ電力供給制御部２１からメイン電力供給制御部１１への電力供給可否を切り替えるスイッチング素子である。ここでは、この第１スイッチ３１は、サブ電力供給制御部２１内のスイッチング素子２１３とは別個且つ直列に設けられて、サブＣＰＵ２２により切り替え制御がなされているが、これらは共通であっても良い。その場合の共通のスイッチは、サブ電力供給制御部２１内（ＩＣチップ上）に電力供給制御に係る各構成と一体的に設けられていても良い。第１スイッチ３１としては、アナログスイッチが用いられるが、電磁的に制御可能な機械的スイッチが用いられても良い。
【００１８】
サブ電力供給制御部２１には、これらサブＣＰＵ２２、第３機能動作部２３及び第１スイッチ３１の各々に対して電力の供給可否を切り替えるスイッチング素子２１２〜２１４（第２のスイッチ）が各々設けられており、サブＣＰＵ２２の制御動作により各スイッチング素子２１２〜２１４のオンオフを切り替えることが出来る。これらのスイッチング素子２１２〜２１４には、スイッチング素子１１１、１１２と同様にアナログスイッチが用いられる。
【００１９】
また、サブ電力供給制御部２１には、外部電源や充電池から供給された電力を供給先の各部に適切な電圧に変換する電圧変換回路（ＤＣ／ＤＣコンバータなど）、充電池５０の残存電力を監視する電池残量監視部や、外部電源からの過電流などに対して各構成を保護するための保護回路などの第２機能動作部２１１（第２の機能動作部）が設けられている。
【００２０】
次に、本実施形態の電子機器１００の電力供給モードについて説明する。
電子機器１００では、電力供給モード（動作モード）として、メインＣＰＵ１２及びサブＣＰＵ２２がそれぞれ第１機能動作部１３及び第３機能動作部２３を制限なく動作させる通常モードと、メインＣＰＵ１２を休止させ、サブＣＰＵ２２が第３機能動作部２３を動作させる低電力モード（休止モード）とが定められており、ユーザによる所定の入力操作、各部の動作状態や充電池５０のバッテリ残量などの条件検出に応じて何れかに切替がなされる。
また、電子機器１００では、電力遮断モードとして、メインＣＰＵ１２及び第１機能動作部１３に加えて、サブＣＰＵ２２及び第３機能動作部２３の動作をオフして充電池５０の放電を抑えることも出来る。
【００２１】
通常モードでは、サブＣＰＵ２２が第１スイッチ３１へのスイッチング素子２１３及び第１スイッチ３１をオンさせ、メイン電力供給制御部１１は、メインＣＰＵ１２への電力供給をオンさせ、起動したメインＣＰＵ１２が第１機能動作部１３の各部への電力供給を適宜切り替える。
【００２２】
低電力モードでは、メイン電力供給制御部１１は、メインＣＰＵ１２及び第１機能動作部１３へのスイッチング素子１１１、１１２をオフさせ、また、サブＣＰＵ２２が少なくとも第１スイッチ３１をオフさせて、メイン電力供給制御部１１の動作自体を停止させる。サブＣＰＵ２２は、必要に応じて第３機能動作部２３の各々へのスイッチング素子２１２のオンオフを切り替える。これにより、低電力モードにおける消費電力は、通常の動作時の平均的な値で通常モードにおける消費電力よりも小さくなる。
【００２３】
電力遮断モードでは、第１スイッチ３１へのスイッチング素子２１３及び第３機能動作部２３へのスイッチング素子２１２をそれぞれオフした状態で、サブＣＰＵ２２の動作を停止させ、更に、当該サブＣＰＵ２２へのスイッチング素子２１４をオフさせる。このとき、サブ電力供給制御部２１内の第２機能動作部２１１は動作するが、動作停止状態での第２機能動作部２１１の動作は、通常モードや低電力モードでの動作と比較して低消費電力となるように動作頻度や動作内容の制限がなされ得る。
【００２４】
図２は、本実施形態の電子機器１００で実行される低電力モード遷移処理のメインＣＰＵ１２による制御手順と、サブＣＰＵ２２による制御手順とをそれぞれ示すフローチャートである。
【００２５】
メインＣＰＵ１２による低電力モード遷移処理は、メインＣＰＵ１２が低電力モードへの移行条件を満たした場合に呼び出されて実行される。
図２（ａ）に示すように、メインＣＰＵ１２は、サブＣＰＵ２２に低電力モードへの遷移を通知する（第１の休止遷移通知）（ステップＳ１０１）。メインＣＰＵ１２は、第１機能動作部１３の動作をそれぞれ終了させてオフする（ステップＳ１０２）。
【００２６】
メインＣＰＵ１２は、メイン電力供給制御部１１に第１機能動作部１３への電力供給可否を切り替えるスイッチング素子１１２をオフさせ（ステップＳ１０３）、また、所定時間の経過後にメインＣＰＵ１２への電力供給可否を切り替えるスイッチング素子１１１をオフさせる命令を出力する（ステップＳ１０４）。それから、メインＣＰＵ１２は、自身の停止処理を実行し（ステップＳ１０５）、低電力モード遷移処理を終了する。
【００２７】
サブＣＰＵ２２による低電力モード遷移処理は、メインＣＰＵ１２から低電力モードへの遷移通知を受け取ることで開始される。
図２（ｂ）に示すように、サブＣＰＵ２２は、所定時間待機し（ステップＳ２０１）、その後、第１スイッチ３１をオフさせる（ステップＳ２０２）。サブＣＰＵ２２は、サブ電力供給制御部２１に第１スイッチ３１への電力供給可否を切り替えるスイッチング素子２１３をオフさせる（ステップＳ２０３）。そして、サブＣＰＵ２２は、低電力モード遷移処理を終了する。
【００２８】
図３は、本実施形態の電子機器１００で実行される通常モード遷移処理のサブＣＰＵ２２による制御手順と、メインＣＰＵ１２による制御手順とをそれぞれ示すフローチャートである。
【００２９】
サブＣＰＵ２２による通常モード遷移処理は、サブＣＰＵ２２が通常モードへの遷移に係る所定の条件が検出された場合に開始される。
図３（ａ）に示すように、サブＣＰＵ２２は、サブ電力供給制御部２１に第１スイッチ３１への電力供給可否を定めるスイッチング素子２１３をオンさせる（ステップＳ２２１）。それから、サブＣＰＵ２２は、第１スイッチ３１をオンさせる（ステップＳ２２２）。そして、サブＣＰＵ２２は、通常モード遷移処理を終了する。
上述のように、第１スイッチ３１がオンされることでメイン電力供給制御部１１に電力が供給されて当該メイン電力供給制御部１１が起動されると、初期設定としてメインＣＰＵ１２への電力供給可否を切り替えるスイッチング素子１１１がオンとなってメインＣＰＵ１２に電力が供給され、当該メインＣＰＵ１２が起動されて、メインＣＰＵ１２により通常モードに係る各種処理が実行されることになる。
【００３０】
メインＣＰＵ１２による通常モード遷移処理は、上述のようにメインＣＰＵ１２に電力が供給されて起動されることで開始される。
図３（ｂ）に示すように、メインＣＰＵ１２は、当該メインＣＰＵ１２自身の起動処理を実行し（ステップＳ１２１）、それから、メイン電力供給制御部１１に第１機能動作部１３への電力供給可否を定めるスイッチング素子１１２をオンさせる（ステップＳ１２２）。メインＣＰＵ１２は、第１機能動作部１３の起動処理を実行し（ステップＳ１２３）、通常モード遷移処理を終了する。
【００３１】
図４は、本実施形態の電子機器１００で実行される電力遮断モード遷移処理のサブＣＰＵ２２による制御手順を示すフローチャートである。
この電力遮断モード遷移処理は、低電力モードで更にサブＣＰＵ２２の動作を停止させる命令が取得された場合などに開始される。
【００３２】
サブＣＰＵ２２は、第３機能動作部２３の動作を停止させる（ステップＳ２４１）。サブＣＰＵ２２は、サブ電力供給制御部２１により、第３機能動作部２３への電力可否を切り替えるスイッチング素子２１２をオフさせる（ステップＳ２４２）。また、サブＣＰＵ２２は、サブ電力供給制御部２１に制御信号を送り、所定時間（所定の移行時間）後にサブＣＰＵ２２への電力供給可否を切り替えるスイッチング素子２１４をオフする命令を行う（第２の休止遷移通知）（ステップＳ２４３）。
【００３３】
サブＣＰＵ２２は、第２機能動作部２１１の動作を低電力モード（低消費電力動作状態）に変更させる（ステップＳ２４４）。サブＣＰＵ２２は、自身の動作停止処理を実行し（ステップＳ２４５）、電力遮断モード遷移処理を終了する。
【００３４】
以上のように、本実施形態の電子機器１００は、メインＣＰＵ１２と、メインＣＰＵ１２に供給する電力の供給制御を行うメイン電力供給制御部１１と、メイン電力供給制御部１１に供給する電力の供給制御を行うサブ電力供給制御部２１と、サブ電力供給制御部２１からメイン電力供給制御部１１への電力供給オンオフを切り替える第１スイッチ３１と、を備える。
これにより、メイン電力供給制御部１１の動作自体をメインＣＰＵ１２などのメイン電力供給制御部１１から電力が供給される構成の動作有無に応じて切り替えることが可能となるので、必要以上に電力供給制御に係る電力消費を増加させず、即ち、電子機器１００において、従来よりも効率的に電力供給制御を行うことが出来る。
【００３５】
また、メインＣＰＵ１２が休止される場合には、第１スイッチ３１がオフされてサブ電力供給制御部２１からメイン電力供給制御部１１への電力供給が遮断される。
このように、メインＣＰＵ１２の動作が休止される場合に、当該メインＣＰＵ１２への電力供給が中止されるだけでなく、第１スイッチ３１によりメインＣＰＵ１２への電力供給制御を行うメイン電力供給制御部１１への電力供給も中止させるので、サブ電力供給制御部２１がメインＣＰＵ１２の動作を必要としない構成にのみ電力供給制御を行うことで、メインＣＰＵ１２の消費電力などに応じたメイン電力供給制御部１１の消費電力も低減させることが出来る。従って、電子機器１００において、従来よりも効率的に電力供給制御を行うことが出来る。
【００３６】
また、第１スイッチ３１は、メインＣＰＵ１２を動作させる通常モードと、メインＣＰＵ１２を休止させる休止モードとを含む複数の動作モード間での切り替えに応じてオンオフが定められるので、電力消費の大きいメインＣＰＵ１２やこれと連動して動作するＲＡＭなどの動作有無に応じて容易且つ適切にメイン電力供給制御部１１の動作及び当該メイン電力供給制御部１１への電力供給を制御して、電力供給制御の効率を改善することが出来る。
【００３７】
また、電子機器１００は、サブ電力供給制御部２１から電力供給を受けて動作するメインＣＰＵ１２とは異なる所定の回路部分を備え、この所定の回路部分には、サブＣＰＵ２２が含まれ、サブＣＰＵ２２は、メインＣＰＵ１２の動作時には、第１スイッチ３１をオンさせ、メインＣＰＵ１２の休止時には、第１スイッチ３１をオフさせる。即ち、サブ電力供給制御部２１により電力供給可否が制御されるサブＣＰＵ２２により第１スイッチ３１のオンオフが切り替えられるので、容易且つ適切に第１スイッチ３１の切替動作が可能となる。
【００３８】
また、メインＣＰＵ１２は、休止モードへの遷移時にサブＣＰＵ２２に当該休止モードへ遷移する旨を示す第１の休止遷移通知を行い、サブＣＰＵ２２は、第１の休止遷移通知を取得した場合に、第１スイッチ３１をオフさせる。このように、休止タイミングの情報自体はメインＣＰＵ１２からサブＣＰＵ２２に適切に送られることで、サブＣＰＵ２２にメイン電力供給制御部１１への電力供給切替に係る処理を容易且つ的確に行わせることが出来る。
【００３９】
また、所定の機能を実行する第１機能動作部１３を備え、第１機能動作部１３は、メインＣＰＵ１２により動作制御がなされ、メイン電力供給制御部１１は、メインＣＰＵ１２が休止される場合に、第１機能動作部１３への電力供給を遮断する。即ち、メインＣＰＵ１２と連動してメインＣＰＵ１２により制御される各部は、メインＣＰＵ１２と連動して電力供給可否も制御されることで、無駄に動作させたりスタンバイ状態として微弱電流が流れたりすることなく、適切に無駄な消費電力をカットして効率良く電子機器１０の動作状態を定めることが出来る。
【００４０】
また、サブ電力供給制御部２１からメインＣＰＵ１２とは異なる所定の回路部分への電力供給オンオフを切り替えるスイッチング素子２１２、２１４などを備え、所定の回路部分には、サブＣＰＵ２２が含まれ、サブＣＰＵ２２は、当該サブＣＰＵ２２の動作を休止させる場合に、サブ電力供給制御部２１によりスイッチング素子２１２、２１４をオフさせる。
即ち、サブＣＰＵ２２の動作を休止させる場合には、当該サブＣＰＵ２２へのサブ電力供給制御部２１からの電力供給もカットさせるので、更に無駄な電力消費を低減させることが出来る。また、このサブＣＰＵ２２と連動して動作する第３機能動作部２３への電力供給も連動してカットさせることが出来るので、不要な電力消費を更に省いてより効率良く電子機器１０の動作状態を定めることが出来る。
【００４１】
また、サブＣＰＵ２２は、当該サブＣＰＵ２２の動作を休止させる場合に、サブ電力供給制御部２１に対してサブＣＰＵ２２の休止に係る第２の休止遷移通知を出力し、サブ電力供給制御部２１は、第２の休止遷移通知を取得してから所定の移行時間が経過した後に、スイッチング素子２１２、２１４をオフさせる。従って、安全且つ確実にサブＣＰＵ２２やその周辺デバイスの停止処理を完了させた後に当該サブＣＰＵ２２などへの電力供給を遮断させるので、サブＣＰＵ２２や設定データなどにトラブルを生じさせず適切に電力供給可否の切り替えを行うことが出来る。
【００４２】
また、サブ電力供給制御部２１は、第２機能動作部２１１を有し、サブＣＰＵ２２は、当該サブＣＰＵ２２の動作を休止させる場合に、サブ電力供給制御部２１に対してサブＣＰＵ２２の休止に係る第２の休止遷移通知を出力し、サブ電力供給制御部２１は、第２の休止遷移通知を取得してから所定の移行時間が経過した後に、第２機能動作部２１１を通常の動作時よりも消費電力の小さい低消費電力動作状態に遷移させる。
このように、メインＣＰＵ１２やサブＣＰＵ２２の動作とは関係なく最低限必要な機能動作部に対しては電力供給を可能な状態で維持しつつ、最低限の動作維持に必要な消費電力での動作に留めることで、第２機能動作部２１１の動作、即ち、電子機器１００の動作を適切に保ちながら更に電力消費を低減させることが出来る。
【００４３】
また、サブＣＰＵ２２は、当該サブＣＰＵ２２の動作を休止させる場合に、第１スイッチ３１をオフさせる。
即ち、出荷前検査時などにおいて、サブＣＰＵ２２の動作を休止させて完全に電子機器１００の通常動作を停止させる場合、併せて第１スイッチ３１のオフ動作も実行することで、より確実にメイン電力供給制御部１１及び当該メイン電力供給制御部１１から電力供給がなされるメインＣＰＵ１２などの各部への電力供給が遮断されるので、商品在庫などでの長期保存時などにおいて、充電池５０が不要に電力消費されるのを確実に防ぐことが出来る。
【００４４】
また、第１スイッチ３１は、サブ電力供給制御部２１の内部に設けられていることで、電子機器１００の組み立て時の部品点数を減らし、容易且つ確実に、より適切な電力供給制御が可能となる電子機器１００を得ることが出来る。
【００４５】
また、電子機器１００において上述の電力供給制御方法を用いることで、従来よりも効率的に電力供給制御を行うことが出来る。
【００４６】
なお、本発明は、上記実施の形態に限られるものではなく、様々な変更が可能である。
例えば、上記実施の形態では、サブＣＰＵ２２が第１スイッチ３１の切替制御を行うこととしたが、メインＣＰＵ１２が第１スイッチ３１に命令を送ってから所定時間の遅延を伴ってオフされたり、ユーザによる所定の押しボタンスイッチの操作などに連動してオン、オフが切り替えられたりしても良い。
【００４７】
また、上記実施の形態では、メインＣＰＵ１２により制御される機能動作部は全てメイン電力供給制御部１１により電力供給制御がなされることとしたが、メインＣＰＵ１２とは独立に動作可能なものについて、サブ電力供給制御部２１により電力供給制御がなされ、又は何れからも電力供給が可能に構成されても良い。
【００４８】
また、上記実施の形態では、メインＣＰＵ１２の動作有無に応じて通常モードと休止モードとが設定されたが、メインＣＰＵ１２を動作させつつ第１機能動作部１３の動作に一部制限を設けるなどによりその他の動作モードが設定されても良い。また、この場合メインＣＰＵ１２の動作周波数などに制限を設け、当該動作周波数を低下させる場合には、メイン電力供給制御部１１からではなくサブ電力供給制御部２１から電力供給制御を可能とし、第１スイッチ３１をオフさせても良い。
【００４９】
また、上記実施の形態では、サブＣＰＵ２２をオフさせる場合には、第２機能動作部２１１の動作を低電力状態とすることとしたが、サブＣＰＵ２２の動作により第２機能動作部２１１の動作状況を変化させなくても良い。
【００５０】
また、上記実施の形態では、サブＣＰＵ２２へのスイッチング素子２１４をサブＣＰＵ２２の休止に係る通知を受けてから所定の遅延を伴ってオフさせたが、遅延動作を行う代わりに、スイッチング素子２１４を流れる電流値が所定のスタンバイ電流以下となった場合にスイッチング素子２１４をオフさせるなどであっても良い。
その他、上記実施の形態で示した構成、制御手順や表示例などの具体的な細部は、本発明の趣旨を逸脱しない範囲において適宜変更可能である。
【００５１】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５２】
［付記］
＜請求項１＞
第１のプロセッサと、
前記第１のプロセッサに供給する電力の供給制御を行う第１の電力供給制御部と、
前記第１の電力供給制御部に供給する電力の供給制御を行う第２の電力供給制御部と、
前記第２の電力供給制御部から前記第１の電力供給制御部への電力供給オンオフを切り替える第１のスイッチと、
を備えた電子機器。
＜請求項２＞
前記第１のプロセッサが休止される場合には、前記第１のスイッチがオフされて前記第２の電力供給制御部から前記第１の電力供給制御部への電力供給が遮断されることを特徴とする請求項１記載の電子機器。
＜請求項３＞
前記第１のスイッチは、当該第１のプロセッサを動作させる通常モードと、前記第１のプロセッサを休止させる休止モードとを含む複数の動作モード間での切り替えに応じてオンオフが定められることを特徴とする請求項１又は２記載の電子機器。
＜請求項４＞
当該電子機器は、前記第２の電力供給制御部から電力供給を受ける前記第１のプロセッサとは異なる所定の回路部分を備え、
前記所定の回路部分には、第２のプロセッサが含まれ、
前記第２のプロセッサは、前記第１のプロセッサの動作時には、前記第１のスイッチをオンさせ、前記第１のプロセッサの休止時には、前記第１のスイッチをオフさせる
ことを特徴とする請求項３記載の電子機器。
＜請求項５＞
前記第１のプロセッサは、前記休止モードへの遷移時に前記第２のプロセッサに当該休止モードへ遷移する旨を示す第１の休止遷移通知を行い、
前記第２のプロセッサは、前記第１の休止遷移通知を取得した場合に、前記第１のスイッチをオフさせる
ことを特徴とする請求項４記載の電子機器。
＜請求項６＞
所定の機能を実行する第１の機能動作部を備え、
当該第１の機能動作部は、前記第１のプロセッサにより動作制御がなされ、
前記第１の電力供給制御部は、前記第１のプロセッサが休止される場合に、前記第１の機能動作部への電力供給を遮断する
ことを特徴とする請求項１〜５の何れか一項に記載の電子機器。
＜請求項７＞
当該電子機器は、前記第２の電力供給制御部から電力供給を受ける前記第１のプロセッサとは異なる所定の回路部分と、
前記第２の電力供給制御部から前記第１のプロセッサとは異なる前記所定の回路部分への電力供給オンオフを切り替える第２のスイッチと、を備え、
前記所定の回路部分には、第２のプロセッサが含まれ、
前記第２のプロセッサは、当該第２のプロセッサの動作を休止させる場合に、前記第２の電力供給制御部により前記第２のスイッチをオフさせる
ことを特徴とする請求項１記載の電子機器。
＜請求項８＞
前記第２のプロセッサは、当該第２のプロセッサの動作を休止させる場合に、前記第２の電力供給制御部に対して前記第２のプロセッサの休止に係る第２の休止遷移通知を出力し、
前記第２の電力供給制御部は、前記第２の休止遷移通知を取得してから所定の移行時間が経過した後に、前記第２のスイッチをオフさせる
ことを特徴とする請求項７記載の電子機器。
＜請求項９＞
前記第２の電力供給制御部は、所定の機能を実行する第２の機能動作部を有し、
前記第２のプロセッサは、当該第２のプロセッサの動作を休止させる場合に、前記第２の電力供給制御部に対して前記第２のプロセッサの休止に係る第２の休止遷移通知を出力し、
前記第２の電力供給制御部は、前記第２の休止遷移通知を取得してから所定の移行時間が経過した後に、前記第２の機能動作部を通常の動作時よりも消費電力の小さい低消費電力動作状態に遷移させる
ことを特徴とする請求項７又は８記載の電子機器。
＜請求項１０＞
前記第２のプロセッサは、当該第２のプロセッサの動作を休止させる場合に、前記第１のスイッチをオフさせることを特徴とする請求項７〜９の何れか一項に記載の電子機器。
＜請求項１１＞
前記第１のスイッチは、前記第２の電力供給制御部の内部に設けられていることを特徴とする請求項１〜１０の何れか一項に記載の電子機器。
＜請求項１２＞
第１のプロセッサと、前記第１のプロセッサに供給する電力の供給制御を行う第１の電力供給制御部と、前記第１の電力供給制御部に供給する電力の供給制御を行う第２の電力供給制御部と、前記第２の電力供給制御部から前記第１の電力供給制御部への電力供給オンオフを切り替える第１のスイッチと、を備える電子機器の電力供給制御方法であって、
前記第１のプロセッサが休止される場合には、前記第１のスイッチがオフされて前記第２の電力供給制御部から前記第１の電力供給制御部への電力供給が遮断される
ことを特徴とする電子機器の電力供給制御方法。
【符号の説明】
【００５３】
１１   メイン電力供給制御部
１１１、１１２       スイッチング素子（ＳＷ）
１２   メインＣＰＵ
１３   第１機能動作部
２１   サブ電力供給制御部
２１１ 第２機能動作部
２１２〜２１４       スイッチング素子（ＳＷ）
２２   サブＣＰＵ
２３   第３機能動作部
３１   第１スイッチ
５０   充電池
１００ 電子機器
【図１】
0006365574.tif 000002
【図２】
0006365574.tif 000003
【図３】
0006365574.tif 000004
【図４】
0006365574.tif 000005